(57)【要約】      （修正有）【課題】塗装用ローラを用いた塗装作業時に、その作業を、より効率的に行なうことができるようにする、塗装補助具を提供する。【解決手段】棒状で、一端を開放した中空のローラグリップ４の他端に固定したロッド６に、ローラ部材７を設けた塗装用ローラによる塗装作業を補助するための塗装補助具であって、補助具本体３と、この補助具本体の一端に、結合部２ｂを介して連結した補助具グリップ１とを備え、上記補助具本体３及び上記結合部２ｂを、上記塗装用ローラのローラグリップ４内部に挿入可能な外形とするとともに、上記結合部外周には、上記補助具本体及び結合部をローラグリップ４内に挿入した時、上記ローラグリップ４の開放端側内周に対して、着脱可能な結合手段を設けた。【選択図】図５
2008253950.tif 000002
【特許請求の範囲】
【請求項１】
棒状で、一端を開放した中空のローラグリップの他端に固定したロッドに、ローラ部材を設けた塗装用ローラによる塗装作業を補助するための塗装補助具であって、補助具本体と、この補助具本体の一端に、結合部を介して連結した補助具グリップとを備え、上記補助具本体及び上記結合部を、上記塗装用ローラのローラグリップ内部に挿入可能な外形とするとともに、上記結合部外周には、上記補助具本体及び結合部をローラグリップ内に挿入した時、上記ローラグリップの開放端側内周に対して、着脱可能な結合手段を設けた塗装補助具。
【請求項２】
上記補助具本体の、少なくとも先端を平板状とするとともに、この補助具本体の外周には、塗装用ローラのロッド外周に一致する円弧を有する円弧状凹部を備えた請求項１に記載の塗装補助具。
【請求項３】
上記円弧状凹部を、補助具グリップと反対端である補助具本体先端側に設けるとともに、上記補助具本体であって、上記円弧状凹部と補助具グリップとの間に、支点用凹部を備えた請求項２に記載の塗装補助具。
【請求項４】
上記結合手段が、ローラグリップ内周に形成した雌ねじに噛み合う雄ねじである請求項１〜３のいずれか１に記載の塗装補助具。
【発明の詳細な説明】
【技術分野】
【０００１】
この発明は、塗装用ローラを用いて行なう塗装作業を補助する塗装補助具に関するものである。
【背景技術】
【０００２】
表面に織物などを設けたローラ部材に含ませた塗料を、壁面などに塗装する塗装用ローラが知られているが、この塗装用ローラは、グリップに固定された金属製のロッドに、ローラ部材を取り付けて構成されている。
上記ローラ部材は、上記ロッドに回転可能、かつ、着脱自在に取り付けられ、塗装作業中、色を変えるなど塗料を交換する際には、ロッドから取り外して、新しいローラ部材と交換できるようにしている。
しかし、塗料が付着したローラ部材を素手で交換することは作業に支障をきたすので、手を汚さずにロッドからローラ部材を取り外すための補助具として、例えば特許文献１に示すローラ外し具が知られている。
【特許文献１】特開２０００−０８４４７１号公報
【発明の開示】
【発明が解決しようとする課題】
【０００３】
上記特許文献１のローラ外し具を利用しようとした場合には、作業現場へローラ外し具を持って行かなければならない。しかし、作業現場では、塗料や、交換用ローラ部材のほか、ロッドに付着した塗料を剥がすスクレーパなど、様々な道具が必要である。このような様々な道具とは別に、ローラ外し具を持たなければならないことは、手間であるだけでなく、忘れてしまいやすいという問題があった。そして、ローラ外し具がないと、ローラ部材の交換作業の作業性が悪くなり、結果として、塗装作業全体の作業性が悪くなってしまった。
【０００４】
この発明の目的は、塗装用ローラを用いた塗装作業時に、その作業を、より効率的に行なうことができるようにする、塗装補助具を提供することである。
【課題を解決するための手段】
【０００５】
第１の発明は、棒状で、一端を開放した中空のローラグリップの他端に固定したロッドに、ローラ部材を設けた塗装用ローラによる塗装作業を補助するための塗装補助具であって、補助具本体と、この補助具本体の一端に、結合部を介して連結した補助具グリップとを備え、上記補助具本体及び上記結合部を、上記塗装用ローラのローラグリップ内部に挿入可能な外形とするとともに、上記結合部外周には、上記補助具本体及び結合部をローラグリップ内に挿入した時、上記ローラグリップの開放端側内周に対して、着脱可能な結合手段を設けた点に特徴を有する。
【０００６】
第２の発明は、第１の発明を前提とし、上記補助具本体の、少なくとも先端を平板状とするとともに、この補助具本体の外周には、塗装用ローラのロッド外周に一致する円弧を有する円弧状凹部を備えた点に特徴を有する。
なお、上記円弧状凹部は、塗装用ローラのロッド外周に一致する円弧を備えていれば良く、円弧だけで構成されていないものも含むものとする。例えば、円弧を備えていれば、Ｕ字状凹部でもよい。
【０００７】
第３の発明によれば、第２の発明を前提とし、上記円弧状凹部を、補助具グリップと反対端である補助具本体先端側に設けるとともに、上記補助具本体であって、上記円弧状凹部と補助具グリップとの間に、支点用凹部を備えた点に特徴を有する。
第４の発明は、上記第１〜第３の発明を前提とし、上記結合手段が、ローラグリップ内周に形成した雌ねじに噛み合う雄ねじである点に特徴を有する。
【発明の効果】
【０００８】
第１〜第３の発明によれば、ローラ外しなどの作業を補助する補助具を、塗装用ローラのハンドルに結合して、塗装用ローラと一体的に取り扱うことができるので、持ち運びが便利である。また、補助具をローラハンドルに結合すれば、そのグリップが塗装用ローラハンドルに連続して、継ぎ柄の役割を果たし、高所や床面など、作業者の手元から離れた場所の塗装作業もやり易くなる。
【０００９】
第２の発明によれば、補助具本体の先端が平板状なので、この先端を用いて、手を汚さずに簡単に塗料容器の蓋を開けることができる。さらに、先端に形成した円弧状凹部を、ローラのロッドに嵌めてローラ部材を押して、ロッドからローラ部材を外すことができるとともに、この円弧状凹部によって上記ロッドにこびりついた塗料を剥がすこともできる。つまり、一つの補助具本体によって、継ぎ柄、ローラ外し、塗料容器の蓋開け及び塗料剥がしの４つの機能を実現することができる。機能別に、個別の補助具を用意する場合と比べて、経済的であるだけでなく、補助具単体での取扱いも便利である。
【００１０】
第３の発明では、補助具本体の先端側に設けた円弧状凹部と補助具グリップとの間に支点用凹部を備えたので、先端の円弧状凹部をロッド外周に嵌めてローラ部材を外す際に、上記支点用凹部にロッドを嵌め、そこを支点として補助具本体を回転させれば、てこの原理を利用してローラ部材をロッドから簡単にはずすことができる。
【００１１】
第４の発明では、ローラハンドルと補助具の連結部との結合手段をねじにしたので、両者を簡単、かつ、確実に結合することができる。例えば、この補助具のグリップを継ぎ柄として利用する場合にも、結合部分の緩みやぐらつきによって塗装作業に支障をきたすようなことがない。
【発明を実施するための最良の形態】
【００１２】
図１〜図６に、この発明の塗装補助具の一実施形態を示す。
図１に示す補助具は、樹脂製の補助具グリップ１の一端に、この発明の結合部を構成する結合部材２を取り付け、さらに、この結合部材２に金属製の補助具本体３を取り付けたものである。
この補助具は、図２に示す塗装用ローラを用いた塗装作業時に用いる補助具なので、先に、この塗装用ローラについて簡単に説明する。
図２の塗装用ローラは、樹脂製で中空のローラグリップ４に金属製のロッド６を固定し、このロッド６に着脱自在にローラ部材７を取り付けたものである。
そして、ローラグリップ４は、外形を握り易い曲面とするとともに、滑り難いように表面に凹凸を形成している。
【００１３】
また、ローラグリップ４の一端を開放端４ａとし、他端側を接続部材５でふさぎ、この接続部材５に、上記ロッド６を固定している。そして、上記ローラグリップ４の接続部材５側には、一対の支持片４ｂ，４ｂを備え、塗装作業中、この支持片４ｂを塗料容器の縁に引っ掛けて、塗装用ローラを支持することができるようにしている。
さらに、ローラグリップ４の開放端４ａ側内周には、雌ねじを形成した雌ねじ部４ｃを備えている。この雌ねじ部４ｃには、これに噛み合う雄ねじを備えた継ぎ柄部材を結合して、グリップを長くして用いることもできる。
なお、ローラ部材７内部には、ローラ部材７に対して回転可能な図示しない保持部を設け、ローラ部材７の一端に形成された挿入孔からロッド６を挿入すると、この保持部がロッド６の外周を保持するようにしている。ただし、所定以上の力によって、ロッド６をローラ部材７から引き抜くことができるようにしている。
【００１４】
上記したような塗装用ローラとともに使用する、図１に示す補助具の補助具グリップ１は、上記塗装用ローラのローラグリップ４と同じ形状の中空の樹脂部材であり、一端を開放端１ａとし、他端には、一対の支持片１ｂ，１ｂを設けている。そして、上記開放端１ａの内周には、図示しない雌ねじ部を備えているが、この雌ねじ部はなくてもよい。
また、この補助具グリップ１の表面は、上記ローラグリップ４と同様に、握り易く、滑りにくい形状にしている。
【００１５】
上記結合部材２は樹脂製の部材であり、補助具グリップ１の他端開口を塞ぐとともに上記支持片１ｂ，１ｂの間に固定する固定部２ａと、円柱の外周に雄ねじを形成した雄ねじ部２ｂとを備える。この雄ねじ部２ｂの雄ねじは、上記ローラグリップ４の雌ねじ部４ｃに噛み合う雄ねじである。
そして、結合部材２の雄ねじ部２ｂの先に取り付けた補助具本体３は、金属の板状部材であって、その幅Ｗを結合部材２の直径よりも小さくし、この補助具本体３と上記雄ねじ部２ｂとをあわせた長さＬ１が、上記ローラグリップ４の内部空間の軸方向長さＬ２よりも短くなるようにしている。つまり、上記結合部材２の雄ねじ部２ｂと補助具本体３とを、ローラグリップ４内に挿入可能な外形にしているのである。
【００１６】
さらに、補助具本体３の先端付近には、先端に向かって厚みが薄くなるようにした傾斜部３ａ（図３参照）を形成するとともに、円弧状凹部３ｂを形成している。この円弧状凹部３ｂは、塗装用ローラのロッド６の外周に一致する円弧である。ただし、この円弧状凹部３ｂは、例えば、円弧部分を備えていれば、Ｕ字状などでもよく、凹部を円弧のみで形成しなくてもよい。また、上記円弧も、ロッド６の外周にほぼ一致すれば、完全な円弧でなくてもよい。
また、補助具本体３の外周であって、上記結合部材２に近い箇所に、軸方向に長さを有する支点用凹部３ｃを形成している。
【００１７】
上記補助具は、その補助具本体３を、図２に示す塗装用ローラのローラグリップ４の開放端４ａからグリップ内へ挿入し、結合部材２の雄ねじ部２ｂをローラグリップ４の雌ねじ部４ｃに結合すれば、図４に示すように、ローラグリップ４と補助具グリップ１とを結合することができる。これにより、ローラグリップ４内に、補助具と塗装用ローラとを一体的に取り扱うことができるようになるので、運搬時などの取扱い道具数を少なくでき、補助具を準備し忘れることが少なくなる。また、ローラグリップ４が、補助具グリップ１で延長され、補助具グリップ１を継ぎ柄として利用することができるようになる。
つまり、手元から離れた場所を塗装するときに、便利である。
【００１８】
一方、上記補助具は、継ぎ柄として用いる場合を除いて、上記ローラグリップ４から取り外して、図４〜図８のように使用する。
例えば、使用後のローラ部材７をロッド６から外すときには、図５、図６のように、上記円弧状凹部３ｂをロッド６に嵌めながら、ローラ部材７の端面に補助具本体３を接触させるとともに、上記ロッド６の中間部分を、補助具本体３に形成した支点用凹部３ｃに斜めに通す。このように、支点用凹部３ｃには、ロッド６の中間部が斜めに挿入されるので、上記支点用凹部３ｃは、補助具本体３の軸方向に長い必要がある。
【００１９】
図５の状態で、ローラグリップ４と補助具グリップ１とをそれぞれ手に持ち、補助具グリップ１を矢印Ａ方向へ回転させると、図６（ａ）の状態から図６（ｂ）のように、補助具本体３の支点用凹部３ｃが、ロッド６に沿って移動しながら、補助具本体の先端が矢印Ｂ方向へ回転する。その結果、補助具本体３の先端側が、ローラ部材７の端面を押し、ローラ部材７をロッド６から抜ける方向へ押して、ローラ部材７が外れる。
【００２０】
このとき、補助具は、図５、図６に示すように、補助具本体３の支点用凹部３ｃとロッド６との交点Ｐを支点とし、補助具グリップ１を作用点、補助具本体先端を力点とするてことして作用するので、補助具グリップ１を移動させる力が小さくても、簡単にローラ部材７を取り外すことができる。
また、図７に示すように、補助具本体３の先端に形成した円弧状凹部３ｂをロッド６の表面に押し当てて、矢印Ｃのように移動させることによって、ロッド６の表面にこびりついた塗料を削り取ることもできる。つまり、この補助具を塗料剥がしのスクレーパとしても利用できる。
さらに、図８に示すように、塗料容器の容器本体８と蓋９との間に、補助具本体３の板状の先端を挿入すれば、蓋９を簡単に開けることができる。特に、この実施形態では補助具本体３の先端に傾斜部３ａを形成しているので、上記容器本体８と蓋９との間に、挿入し易く開け易い。
【００２１】
以上のように、この実施形態の補助具は、継ぎ柄、ローラ外し、塗料剥がし及び塗料容器の蓋開けの４通りに利用でき、しかも、塗装用ローラと一体化して取り扱うことができる。４種類の補助具の機能が、一つの補助具で実現できるので、４種類の道具を全て持参する場合と比べて、運搬が楽であるし、作業現場への持参を忘れてしまうこともない。そして、現場では、それぞれの機能によって、作業性を向上させることができる。
なお、この実施形態のように、補助具グリップ１の開放端１ａ側内周に、雌ねじ部を設けておけば、この雌ねじ部に噛み合う雄ねじを備えた継ぎ柄部材を結合して、手元から、さらに離れた塗装面を塗装することもできる。
【００２２】
また、上記実施形態では、結合部材２の雄ねじ部が、この発明の結合部であり、雄ねじが結合手段である。このようなねじ結合なら、着脱が簡単なだけでなく、確実な結合ができるので、結合した状態での塗装作業中に、グリップが外れたり、がたついたりすることがない。
ただし、上記結合手段は、グリップを結合した状態での作業中には簡単に外れないが、必要なときに外すことができれば、ねじ結合に限らず、圧入などでもよい。
【図面の簡単な説明】
【００２３】
【図１】実施形態の塗装補助具の正面図である。
【図２】塗装用ローラの斜視図である。
【図３】図１の部分拡大図である。
【図４】塗装補助具と塗装用ローラとを結合した状態の正面図である。
【図５】実施形態の補助具のローラ外しとしての使用例を示した正面図である。
【図６】ローラ外しとして使用したときの作用を説明するための図である。
【図７】実施形態の補助具の、塗料はがしとしての使用例を示した正面図である。
【図８】実施形態の補助具の、塗料容器の蓋開けとしての使用例を示した斜視図である。
【符号の説明】
【００２４】
１      補助具グリップ
２      結合部材
２ｂ    雄ねじ部
３      補助具本体
３ｂ    円弧状凹部
３ｃ    支点用凹部
４      ローラグリップ
４ａ    開放端
４ｃ    雌ねじ部
６      ロッド
７      ローラ部材
【図１】
2008253950.tif 000003
【図２】
2008253950.tif 000004
【図３】
2008253950.tif 000005
【図４】
2008253950.tif 000006
【図５】
2008253950.tif 000007
【図６】
2008253950.tif 000008
【図７】
2008253950.tif 000009
【図８】
2008253950.tif 000010